(57)【要約】【課題】電磁波伝導体装置を有するヘアドライヤを提供すること。【解決手段】電磁波伝導体装置を有するヘアドライヤは、本体（１０）とこれに接続されたハンドル（１２）とを含む。本体は電動モータ（１４）と、複数の電熱線（１６）と、複数のファンブレード（１８）とを備える。電動モータはヘアドライヤにより放出される電磁波を低減するため、電動モータの巻線型ロータのＳ極及びＮ極に発生電磁波を伝導するための磁気被覆（３０）を含む。【選択図】図１
0003114417.tif 000002
【実用新案登録請求の範囲】
【請求項１】
電磁波伝導体装置を有するヘアドライヤであって、
本体及び該本体に接続されたハンドルを含み、
前記本体は電動モータと、複数の電熱線と、複数のファンブレードとを含み、
前記電動モータは、使用時の前記ヘアドライヤから送られる電磁波を低減するため、前記電動モータのロータのＳ極及びＮ極に前記電動モータにより放射された発生電磁波を伝導するように強磁性の材料で形成されている磁気被覆を含む、ヘアドライヤ。
【請求項２】
前記磁気被覆は前記電動モータの外面上に形成されている、請求項１に記載のヘアドライヤ。
【請求項３】
前記磁気被覆は前記電動モータの内面に形成されている、請求項１に記載のヘアドライヤ。
【請求項４】
銭磁気被覆は前記電動モータ上に据えられている、請求項１に記載のヘアドライヤ。
【考案の詳細な説明】
【技術分野】
【０００１】
本考案は、一般的には電磁波導体を有するヘアドライヤに関し、より詳しくは前記ドライヤの作動から生じる電磁波を効果的に低減するため、電動モータの周囲に据えられた磁気ジャケットすなわち磁気被覆を有するヘアドライヤに関する。これは、ありふれた装置からの見えない危険の一般社会による認識を大きくするために重要である。例えば、医療専門家はかつて副作用に対する無知のためにＸ線装置の操作の間に非常に多量の放射線に曝されていた。同様に、携帯電話、コンピュータのモニタのような電気的装置からの放射物に長期にわたって曝されることについての心配がある。
【背景技術】
【０００２】
電気的装置からの放射物に長期間曝されることの一般社会による認識を大きいものにしている。ヘアドライヤは、人に副作用をもたらす電磁波を放射する。図５を参照すると、従来のヘアドライヤの基本構造は、本体６０とハンドル６２とを含む。本体６０は電動モータ６４と、複数の電熱線６６と、複数のファンブレード６８とを備える。制御スイッチ７０がハンドル６２に設けられている。制御スイッチ７０の一端部は本体６０の内部の部品に接続され、また制御スイッチ７０の他端部は電源コード７２に接続されている。電源コード７２の端部にはプラグが取り付けられている。
【０００３】
制御スイッチ７０がオンの状態にあるとき、電動モータ６４がファンブレード６８を回転するように駆動する。前記制御スイッチは、さらに、回転する前記ファンにより駆動される空気が加熱されることを必要であるか否かを選択するための手段を有し、必要であれば、電熱線６６が、熱を発するために、電気を熱エネルギに変換するための動作電力を得る。電動モータ６４の回転により生じた電機子反作用は非常に多くの電磁波を発生させる。電動モータ６４のケーシングが薄い金属板のみからなるため、生じた電磁波は、前記ヘアドライヤからの放出を阻止するために伝導されるべき通り道を有しない。このため、前記電磁波が電動モータ６４の外部の部品に放出し、また、いっそう悪いことに、前記ヘアドライヤの本体を通過しユーザーに影響を与える。前記した問題に照らし、従来の方法では、本体６０の内壁に薄い金属遮蔽物７４を形成している。この薄い金属遮蔽物７４は、適当な電気伝導手段により電源コード７２に電気的に接続することができる。これにより、前記電磁波が電源コード７２を介してグラウンドに接続される。しかし、この従来方法の欠点は、薄い金属遮蔽物７４があまりにも薄く、このために前記電磁波の全てを前記グラウンドに伝導することができないことである。さらに、前記薄い金属遮蔽物７４と前記電磁波を発生する電動モータ６４との間に間隙が存する。前記電磁波は最小間隙内を前記グラウンドへ伝導されず、実際、前記電磁波のほとんどは未だ前記ヘアドライヤの本体６０を経てユーザーへ放出する。このため、前記ヘアドライヤのための従来のデザインは明らかに改良を必要とする。
【考案の開示】
【考案が解決しようとする課題】
【０００４】
したがって、本考案の目的は、電磁波伝導体装置を有するヘアドライヤを提供することにある。
【課題を解決するための手段】
【０００５】
前記した目的を達成するため、電磁波伝導体装置を有するヘアドライヤは本体と、該本体に接続されたハンドルとを備える。前記本体は、さらに、電動モータと、複数の電熱線と、複数のファンブレードとを有する。前記電動モータは、前記ヘアドライヤから送られた電磁波を低減するため、前記電動モータのロータのＳ極及びＮ極に発生電磁波を伝導するための磁気被覆を含む。
【０００６】
前記磁気被覆は強磁性材料からなるものとすることができる。前記磁気被覆は全体として前記電動モータの外面又は内面に設けられ、独立した要素を形成する。したがって、前記磁気被覆は前記電動モータに据えることができる。
【考案の効果】
【０００７】
したがって、前記した構造により、前記磁気被覆は発生電磁波を前記電動モータのＳ極及びＮ極に伝導させることができ、これにより、前記ヘアドライヤから送られた電磁波を低減する。
【０００８】
これにより、磁気回路の最小ルートが提供され、発生した電磁波を前記電動モータに戻すように伝導し、その結果、前記ヘアドライヤから送られた電磁波を低減する。
【考案を実施するための最良の形態】
【０００９】
図１を参照すると、本考案の電磁波伝導体装置を有するヘアドライヤの基本構造は従来のヘアドライヤの基本構造に似ている。本考案の電磁波伝導体装置を有するヘアドライヤは本体１０と、該本体に接続されたハンドル１２とを含む。本体１０は、電動モータ１４と、複数の電熱線１６と、複数のファンブレード１８とを含む。制御スイッチ２０がハンドル１２に配置されている。制御スイッチ２０の一端部が本体１０の内部の要素に接続され、かつ制御スイッチ２０の他端部が電源コード２２に接続されている。電源コード２２の端部にプラグが設けられている。
【００１０】
本考案の重要な特徴は、磁気被覆(magnetic jacket)３０が電動モータ１４上に据えられていることである。図１及び図２における本発明の好ましい実施例の一つのように、磁気被覆３０は一体のユニットを形成するように電動モータ１４の金属ケーシングに結合可能である。さらに、図３に示すように、磁気被覆３０は独立した要素を形成する。これにより、磁気被覆３０は電動モータ１４の外面に接続されるように据えることができる。このため、磁気被覆３０は電動モータ１４の金属ケーシング層の外側にあり、電動モータ１４の前記金属ケーシング層は磁気被覆３０により覆われている。
【００１１】
さらに、図４を参照すると、磁気被覆３０は電動モータ１４のケーシングの内側に設けることができる。このような方法で、電動モータ１４の金属ケーシング層が薄くなる。
【００１２】
磁気被覆３０は強磁性材料からなる。例えば、鉄、珪素鋼、コバルト及びニッケルは、全て、使用のために選択可能である。磁気被覆３０が強磁性材料からなることから、磁気被覆３０は電磁波を伝導することができる。磁気被覆３０の主機能は、前記ヘアドライヤから送られる電磁波を低減するため、発生した電磁波を電動モータ１４の巻線型ロータのＳ極及びＮ極に伝導させることである。
【００１３】
結果として、本発明の電磁波伝導体装置を有するヘアドライヤは、前記電動モータに戻すように前記発生電磁波を伝導する磁気回路の最小ルートを提供するように前記磁気被覆を十分に利用する。したがって、前記ヘアドライヤから送られた前記電磁波は効果的に低減される。
【００１４】
本考案が例示をもってまた好ましい実施例に関して記述されているが、本考案はこれらに限定されない。反対に、様々な変更、似たような配列及び手順をカバーするように意図されており、したがって、全てのこのような変更、及び同様な配列及び手順を包含するため、添付の実用新案登録請求の範囲に最も広い解釈が与えられる。
【図面の簡単な説明】
【００１５】
【図１】本考案のヘアドライヤの側断面図である。
【図２】本考案の好ましい実施例の電気モータの一例の斜視図である。
【図３】本考案の好ましい実施例の電気モータの他の例の分解斜視図である。
【図４】本考案の好ましい実施例の電動モータの他の例の斜視図である。
【図５】従来のヘアドライヤの側断面図である。
【符号の説明】
【００１６】
１０  本体
１２  ハンドル
１４  電動モータ
１６  電熱線
１８  ファンブレード
３０  磁気被覆
【図１】
0003114417.tif 000003
【図２】
0003114417.tif 000004
【図３】
0003114417.tif 000005
【図４】
0003114417.tif 000006
【図５】
0003114417.tif 000007